(57)【要約】      （修正有）【課題】家庭セキュリティ監視ロボットを充電する過程の接続を安定させる充電装置を提供する。【解決手段】家庭セキュリティ監視ロボットは、充電先端を含み、台座に固定的に設置された充電柱にはセキュリティ監視ロボットと接続する充電ソケットが充電柱の左側の端面に設けられ、充電ソケットと充電先端とが接続され、充電ソケットの給電片が設けられたロック穴と家庭セキュリティ監視ロボットの充電先端第二滑りアームが係合する。【選択図】図４
2019160762.tif 000002
【特許請求の範囲】
【請求項１】
家庭セキュリティ監視ロボットであって、台座に固定的に設置される充電柱とセキュリティ監視ロボットと接続する充電先端を含み、前記充電柱の頂部に防塵テントが固定的に設置され、前記充電柱の左側の端面に前記充電先端と係合し接続される充電ソケットが設置され、前記充電先端に滑り押し筐体が設置され、前記滑り押し筐体に伝導ブロックが非固定的に係合し接続され、前記伝導ブロックの左側の内壁に左に延びて設置されるスタッドが係合し接続され、前記スタッドの左側に延びる末端が電機と動力が伝達可能なように係合し接続され、前記電機の外表面が前記滑り押し筐体の左側の内壁に設置されてそれと固定的に係合し接続され、前記滑り押し筐体の右側の内壁に上下が対応して左右側に延びて設置される第一滑り押し溝が設置され、前記第一滑り押し溝の左側延び末端が前記滑り押し筐体と連結し設置され、二組の前記第一滑り押し溝の間の前記滑り押し筐体の右側の内壁に第二滑り押し溝が連結し設置され、前記第二滑り押し溝に第一斜角ブロックが非固定的に係合し接続され、前記第一斜角ブロックの左側末端が前記伝導ブロックの右側の端面と固定的に係合し接続され、前記第一滑り押し溝に左右に延びて設置される第一滑りアームが非固定的に係合し接続され、二組の前記第一滑りアームの背面側の前記第一滑り押し溝に第一バネが係合し接続され、二組の前記第一滑り押し溝の間の部分に第二滑り押し溝が連結し設置され、前記充電先端の右側の端面に挿し込み溝が設置され、前記第二滑り押し溝の中間位置が左右に延びて設置される通合溝を通り抜けて、前記通合溝の右側延び末端が前記挿し込み溝と連結し設置され、前記第二滑り押し溝に上下に対応して設置される第二滑りアームが非固定的に係合し接続され、前記第二滑りアームが前記通合溝と反対の一側が前記第一滑り押し溝に伸びて前記第一滑りアームと固定的に係合し接続され、前記第一滑りアームが前記第二滑りアームと反対の一側に前記第二滑り押し溝に伸びて前記第一斜角ブロックと非固定的に係合し接続される第二斜角ブロックが固定的に設置され、前記充電ソケットの左側の端面にフルートが設置され、前記フルートに接合装置が設置され、前記通合溝の左側の内壁に電気タンクが設置され、前記接合装置が前記フルートの右側内壁と固定的に係合し接続するフランジが設置され、、前記フランジの左側の端面に固定される挿し込み軸と前記フランジの外表面に設置されてそれと非固定的に係合し接続される押え輪を含み、前記押え輪の右側の端面が前記フルートの右側の内壁の間に第二バネが固定的に設置され、前記挿し込み軸にロック穴が設置され、前記挿し込み軸が前記フランジと反対の一側の末端に前記電気タンクと係合し接続される給電片が固定的に設置されることを特徴とする家庭セキュリティ監視ロボット。
【発明の詳細な説明】
【技術分野】
【０００１】
本発明はロボット技術分野に関し、具体的には家庭セキュリティ監視ロボットに関する。
【背景技術】
【０００２】
知能時代の発展につれて、いくつかの家庭セキュリティ監視ロボットの実際の活用もどんどん広くなり、伝統的なセキュリティ監視ロボットを充電する過程における接続安定性が悪く、常に思いがけない電源オフが引き起こし、大きな悪弊が存在し改善する必要がある。
【先行技術文献】
【特許文献】
【０００３】
【特許文献１】中国特許出願公開第107186734号明細書
【発明の概要】
【発明が解決しようとする課題】
【０００４】
知能時代の発展につれて、いくつかの家庭セキュリティ監視ロボットの実際の運用もどんどん広くなり、伝統的なセキュリティ監視ロボットを充電する過程の接続安定性が悪く、常に思いがけない電源オフが引き起こし、大きな悪弊が存在し改善する必要がある。
【課題を解決するための手段】
【０００５】
本発明に係る家庭セキュリティ監視ロボットによれば、台座に固定的に設置される充電柱とセキュリティ監視ロボットと接続する充電先端を含み、前記充電柱の頂部に防塵テントが固定的に設置され、前記充電柱の左側の端面に前記充電先端と係合し接続される充電ソケットが設置され、前記充電先端に滑り押し筐体が設置され、前記滑り押し筐体に伝導ブロックが非固定的に係合し接続され、前記伝導ブロックの左側の内壁に左に延びて設置されるスタッドが係合し接続され、前記スタッドの左側延びる末端が電機と動力が伝達可能なように係合し接続され、前記電機の外表面が前記滑り押し筐体の左側の内壁に設置されてそれと固定的に係合し接続され、前記滑り押し筐体の右側の内壁に上下が対応して左右側に延びて設置される第一滑り押し溝が設置され、前記第一滑り押し溝の左側延び末端が前記滑り押し筐体と連結し設置され、二組の前記第一滑り押し溝の間の前記滑り押し筐体の右側の内壁に第二滑り押し溝が連結し設置され、前記第二滑り押し溝に第一斜角ブロックが非固定的に係合し接続され、前記第一斜角ブロックの左側末端が前記伝導ブロックの右側の端面と固定的に係合し接続され、前記第一滑り押し溝に左右に延びて設置される第一滑りアームが非固定的に係合し接続され、二組の前記第一滑りアームの背面側の前記第一滑り押し溝に第一バネが係合し接続され、二組の前記第一滑り押し溝の間の部分に第二滑り押し溝が連結し設置され、前記充電先端の右側の端面に挿し込み溝が設置され、前記第二滑り押し溝の中間位置が左右に延びて設置される通合溝を通り抜けて、前記通合溝の右側延び末端が前記挿し込み溝と連結し設置され、前記第二滑り押し溝に上下に対応して設置される第二滑りアームが非固定的に係合し接続され、前記第二滑りアームが前記通合溝と反対の一側が前記第一滑り押し溝に伸びて前記第一滑りアームと固定的に係合し接続され、前記第一滑りアームが前記第二滑りアームと反対の一側に前記第二滑り押し溝に伸びて前記第一斜角ブロックと非固定的に係合し接続される第二斜角ブロックが固定的に設置され、前記充電ソケットの左側の端面にフルートが設置され、前記フルートに接合装置が設置される。
【０００６】
他の技術方案は前記通合溝の左側の内壁に電気タンクが設置される。
【０００７】
他の技術方案は前記接合装置が前記フルートの右側内壁と固定的に係合し接続するフランジを設置し、前記フランジの左側の端面に固定される挿し込み軸と前記フランジの外表面に設置されてそれと非固定的に係合し接続される押え輪を含み、前記押え輪の右側の端面が前記フルートの右側の内壁の間に第二バネが固定的に設置され、前記挿し込み軸にロック穴が設置され、前記挿し込み軸が前記フランジと反対の一側の末端に前記電気タンクと係合し接続される給電片が固定的に設置される。
【発明の効果】
【０００８】
本発明の有益な効果は、構造が簡単で、操作が便利で、セキュリティ監視ロボットを充電する時の安定性を大きく高めて、思いがけない電源オフを防ぐ。
【図面の簡単な説明】
【０００９】
【図１】図１は本発明の充電柱の外部構造概略図である。
【図２】図２は図１の中の充電ソケットの内部構造概略図である。
【図３】図３は本発明の充電先端の内部構造概略図である。
【図４】図４は本発明の家庭セキュリティ監視ロボットを充電する時の構造概略図である。
【発明を実施するための形態】
【００１０】
説明しやすいため、本発明は以下の具体的な実施例と図面を交え詳しく説明する。
【００１１】
図１−４を参照し、本発明の実施例の家庭セキュリティ監視ロボットによって、台座41に固定的に設置される充電柱4とセキュリティ監視ロボットと接続する充電先端5を含み、前記充電柱4の頂部に防塵テント42が固定的に設置され、前記充電柱4の左側の端面に前記充電先端5と係合し接続される充電ソケット6が設置され、前記充電先端5に滑り押し筐体55が設置され、前記滑り押し筐体55に伝導ブロック551が非固定的に係合し接続され、前記伝導ブロック551の左側の内壁に左に延びて設置されるスタッド552が係合し接続され、前記スタッド552の左側延びる末端が電機553と動力が伝達可能なように係合し接続され、前記電機553の外表面が前記滑り押し筐体55の左側の内壁に設置されてそれと固定的に係合し接続され、前記滑り押し筐体55の右側の内壁に上下が対応して左右側に延びて設置される第一滑り押し溝56が設置され、前記第一滑り押し溝56の左側延び末端が前記滑り押し筐体55と連結し設置され、二組の前記第一滑り押し溝56の間の前記滑り押し筐体55の右側の内壁に第二滑り押し溝57が連結し設置され、前記第二滑り押し溝57に第一斜角ブロック571が非固定的に係合し接続され、前記第一斜角ブロック571の左側末端が前記伝導ブロック551の右側の端面と固定的に係合し接続され、前記第一滑り押し溝56に左右に延びて設置される第一滑りアーム562が非固定的に係合し接続され、二組の前記第一滑りアーム562の背面側の前記第一滑り押し溝56に第一バネ561が係合し接続され、二組の前記第一滑り押し溝56の間の部分に第二滑り押し溝53が連結し設置され、前記充電先端5の右側の端面に挿し込み溝51が設置され、前記第二滑り押し溝53の中間位置が左右に延びて設置される通合溝52を通り抜けて、前記通合溝52の右側延び末端が前記挿し込み溝51と連結し設置され、前記第二滑り押し溝53に上下に対応して設置される第二滑りアーム531が非固定的に係合し接続され、前記第二滑りアーム531が前記通合溝52と反対の一側が前記第一滑り押し溝56に伸びて前記第一滑りアーム562と固定的に係合し接続され、前記第一滑りアーム562が前記第二滑りアーム531と反対の一側に前記第二滑り押し溝57に伸びて前記第一斜角ブロック571と非固定的に係合し接続される第二斜角ブロック572が固定的に設置され、前記充電ソケット6の左側の端面にフルート61が設置され、前記フルート61に接合装置が設置される。
【００１２】
好ましくは、前記通合溝52の左側の内壁に電気タンク54が設置される。
【００１３】
好ましくは、前記接合装置が前記フルート61の右側内壁と固定的に係合し接続するフランジ62、前記フランジ62の左側の端面に固定される挿し込み軸65と前記フランジ62の外表面に設置されてそれと非固定的に係合し接続される押え輪63を含み、前記押え輪63の右側の端面が前記フルート61の右側の内壁の間に第二バネ64が固定的に設置され、前記挿し込み軸65にロック穴652が設置され、前記挿し込み軸65が前記フランジ62と反対の一側の末端に前記電気タンク54と係合し接続される給電片651が固定的に設置される。
【００１４】
本発明の有益な効果は、構造が簡単で、操作が便利で、セキュリティ監視ロボットを充電する時の安定性を大きく高めて、思いがけない電源オフを防ぐ。
【図１】
2019160762.tif 000003
【図２】
2019160762.tif 000004
【図３】
2019160762.tif 000005
【図４】
2019160762.tif 000006
【手続補正書】
【提出日】令和1年6月5日(2019.6.5)
【手続補正１】
【補正対象書類名】特許請求の範囲
【補正対象項目名】請求項１
【補正方法】変更
【補正の内容】
【請求項１】
家庭セキュリティ監視ロボットであって、台座に固定的に設置される充電柱とセキュリティ監視ロボットと接続する充電先端を含み、前記充電柱の左側の端面に前記充電先端と係合し接続される充電ソケットが設置され、前記充電先端に滑り押し筐体が設置され、前記滑り押し筐体に伝導ブロックが非固定的に係合し接続され、前記伝導ブロックの左側の内壁に左に延びて設置されるスタッドが係合し接続され、前記スタッドの左側に延びる末端がモーターと動力が伝達可能なように係合し接続され、前記モーターの外表面が前記滑り押し筐体の左側の内壁に設置されてそれと固定的に係合し接続され、前記滑り押し筐体の右側の内壁に上下が対応して左右側に延びて設置される第一滑り押し溝が設置され、前記第一滑り押し溝の左側延び末端が前記滑り押し筐体と連結し設置され、二組の前記第一滑り押し溝の間の前記滑り押し筐体の右側の内壁に第二滑り押し溝が連結し設置され、前記第二滑り押し溝に第一斜角ブロックが非固定的に係合し接続され、前記第一斜角ブロックの左側末端が前記伝導ブロックの右側の端面と固定的に係合し接続され、前記第一滑り押し溝に左右に延びて設置される第一滑りアームが非固定的に係合し接続され、二組の前記第一滑りアームと前記第一滑り押し溝との間にそれぞれ第一バネが連結され、二組の前記第一滑り押し溝の間の部分に第二滑り押し溝が連結し設置され、前記充電先端の右側の端面に挿し込み溝が設置され、前記第二滑り押し溝の中間位置が左右に延びて設置される通合溝を通り抜けて、前記通合溝の右側延び末端が前記挿し込み溝と連結し設置され、前記第二滑り押し溝に上下に対応して設置される第二滑りアームが非固定的に係合し接続され、前記第二滑りアームが前記通合溝と反対の一側が前記第一滑り押し溝に伸びて前記第一滑りアームと固定的に係合し接続され、前記第一滑りアームが前記第二滑りアームと反対の一側に前記第二滑り押し溝に伸びて前記第一斜角ブロックと非固定的に係合し接続される第二斜角ブロックが固定的に設置され、前記充電ソケットの左側の端面にフルートが設置され、前記フルートに接合装置が設置され、前記通合溝の左側の内壁に電気接続溝が設置され、前記接合装置が前記フルートの右側内壁と固定的に係合し接続するフランジが設置され、、前記フランジの左側の端面に固定される挿し込み軸と前記フランジの外表面に設置されてそれと非固定的に係合し接続される押え輪を含み、前記押え輪の右側の端面が前記フルートの右側の内壁の間に第二バネが固定的に設置され、前記挿し込み軸にロック穴が設置され、前記挿し込み軸が前記フランジと反対の一側の末端に前記電気接続溝と係合し接続される給電片が固定的に設置されることを特徴とする家庭セキュリティ監視ロボット。
【手続補正２】
【補正対象書類名】明細書
【補正対象項目名】全文
【補正方法】変更
【補正の内容】
【発明の詳細な説明】
【技術分野】
【０００１】
本発明はロボット技術分野に関し、具体的には家庭セキュリティ監視ロボットに関する。
【背景技術】
【０００２】
知能時代の発展につれて、いくつかの家庭セキュリティ監視ロボットの実際の活用もどんどん広くなり、伝統的なセキュリティ監視ロボットを充電する過程における接続安定性が悪く、常に思いがけない電源オフが引き起こし、大きな悪弊が存在し改善する必要がある。
【先行技術文献】
【特許文献】
【０００３】
【特許文献１】中国特許出願公開第１０７１８６７３４号明細書
【発明の概要】
【発明が解決しようとする課題】
【０００４】
知能時代の発展につれて、いくつかの家庭セキュリティ監視ロボットの実際の運用もどんどん広くなり、伝統的なセキュリティ監視ロボットを充電する過程の接続安定性が悪く、常に思いがけない電源オフが引き起こし、大きな悪弊が存在し改善する必要がある。
【課題を解決するための手段】
【０００５】
本発明に係る家庭セキュリティ監視ロボットによれば、台座に固定的に設置される充電柱とセキュリティ監視ロボットと接続する充電先端を含み、前記充電柱の左側の端面に前記充電先端と係合し接続される充電ソケットが設置され、前記充電先端に滑り押し筐体が設置され、前記滑り押し筐体に伝導ブロックが非固定的に係合し接続され、前記伝導ブロックの左側の内壁に左に延びて設置されるスタッドが係合し接続され、前記スタッドの左側延びる末端がモーターと動力が伝達可能なように係合し接続され、前記モーターの外表面が前記滑り押し筐体の左側の内壁に設置されてそれと固定的に係合し接続され、前記滑り押し筐体の右側の内壁に上下が対応して左右側に延びて設置される第一滑り押し溝が設置され、前記第一滑り押し溝の左側延び末端が前記滑り押し筐体と連結し設置され、二組の前記第一滑り押し溝の間の前記滑り押し筐体の右側の内壁に第二滑り押し溝が連結し設置され、前記第二滑り押し溝に第一斜角ブロックが非固定的に係合し接続され、前記第一斜角ブロックの左側末端が前記伝導ブロックの右側の端面と固定的に係合し接続され、前記第一滑り押し溝に左右に延びて設置される第一滑りアームが非固定的に係合し接続され、二組の前記第一滑りアームと前記第一滑り押し溝との間にそれぞれ第一バネが連結され、二組の前記第一滑り押し溝の間の部分に第二滑り押し溝が連結し設置され、前記充電先端の右側の端面に挿し込み溝が設置され、前記第二滑り押し溝の中間位置が左右に延びて設置される通合溝を通り抜けて、前記通合溝の右側延び末端が前記挿し込み溝と連結し設置され、前記第二滑り押し溝に上下に対応して設置される第二滑りアームが非固定的に係合し接続され、前記第二滑りアームが前記通合溝と反対の一側が前記第一滑り押し溝に伸びて前記第一滑りアームと固定的に係合し接続され、前記第一滑りアームが前記第二滑りアームと反対の一側に前記第二滑り押し溝に伸びて前記第一斜角ブロックと非固定的に係合し接続される第二斜角ブロックが固定的に設置され、前記充電ソケットの左側の端面にフルートが設置され、前記フルートに接合装置が設置される。
【０００６】
他の技術方案は前記通合溝の左側の内壁に電気接続溝が設置される。
【０００７】
他の技術方案は前記接合装置が前記フルートの右側内壁と固定的に係合し接続するフランジを設置し、前記フランジの左側の端面に固定される挿し込み軸と前記フランジの外表面に設置されてそれと非固定的に係合し接続される押え輪を含み、前記押え輪の右側の端面が前記フルートの右側の内壁の間に第二バネが固定的に設置され、前記挿し込み軸にロック穴が設置され、前記挿し込み軸が前記フランジと反対の一側の末端に前記電気接続溝と係合し接続される給電片が固定的に設置される。
【発明の効果】
【０００８】
本発明の有益な効果は、構造が簡単で、操作が便利で、セキュリティ監視ロボットを充電する時の安定性を大きく高めて、思いがけない電源オフを防ぐ。
【図面の簡単な説明】
【０００９】
【図１】図１は本発明の充電柱の外部構造概略図である。
【図２】図２は図１の中の充電ソケットの内部構造概略図である。
【図３】図３は本発明の充電先端の内部構造概略図である。
【図４】図４は本発明の家庭セキュリティ監視ロボットを充電する時の構造概略図である。
【発明を実施するための形態】
【００１０】
説明しやすいため、本発明は以下の具体的な実施例と図面を交え詳しく説明する。
【００１１】
図１−４を参照し、本発明の実施例の家庭セキュリティ監視ロボットによって、台座４１に固定的に設置される充電柱４とセキュリティ監視ロボットと接続する充電先端５を含み、前記充電柱４の左側の端面に前記充電先端５と係合し接続される充電ソケット６が設置され、前記充電先端５に滑り押し筐体５５が設置され、前記滑り押し筐体５５に伝導ブロック５５１が非固定的に係合し接続され、前記伝導ブロック５５１の左側の内壁に左に延びて設置されるスタッド５５２が係合し接続され、前記スタッド５５２の左側延びる末端がモーター５５３と動力が伝達可能なように係合し接続され、前記モーター５５３の外表面が前記滑り押し筐体５５の左側の内壁に設置されてそれと固定的に係合し接続され、前記滑り押し筐体５５の右側の内壁に上下が対応して左右側に延びて設置される第一滑り押し溝５６が設置され、前記第一滑り押し溝５６の左側延び末端が前記滑り押し筐体５５と連結し設置され、二組の前記第一滑り押し溝５６の間の前記滑り押し筐体５５の右側の内壁に第二滑り押し溝５７が連結し設置され、前記第二滑り押し溝５７に第一斜角ブロック５７１が非固定的に係合し接続され、前記第一斜角ブロック５７１の左側末端が前記伝導ブロック５５１の右側の端面と固定的に係合し接続され、前記第一滑り押し溝５６に左右に延びて設置される第一滑りアーム５６２が非固定的に係合し接続され、二組の前記第一滑りアーム５６２と前記第一滑り押し溝５６との間にそれぞれ第一バネ５６１が連結され、二組の前記第一滑り押し溝５６の間の部分に第二滑り押し溝５３が連結し設置され、前記充電先端５の右側の端面に挿し込み溝５１が設置され、前記第二滑り押し溝５３の中間位置が左右に延びて設置される通合溝５２を通り抜けて、前記通合溝５２の右側延び末端が前記挿し込み溝５１と連結し設置され、前記第二滑り押し溝５３に上下に対応して設置される第二滑りアーム５３１が非固定的に係合し接続され、前記第二滑りアーム５３１が前記通合溝５２と反対の一側が前記第一滑り押し溝５６に伸びて前記第一滑りアーム５６２と固定的に係合し接続され、前記第一滑りアーム５６２が前記第二滑りアーム５３１と反対の一側に前記第二滑り押し溝５７に伸びて前記第一斜角ブロック５７１と非固定的に係合し接続される第二斜角ブロック５７２が固定的に設置され、前記充電ソケット６の左側の端面にフルート６１が設置され、前記フルート６１に接合装置が設置される。
【００１２】
好ましくは、前記通合溝５２の左側の内壁に電気接続溝５４が設置される。
【００１３】
好ましくは、前記接合装置が前記フルート６１の右側内壁と固定的に係合し接続するフランジ６２、前記フランジ６２の左側の端面に固定される挿し込み軸６５と前記フランジ６２の外表面に設置されてそれと非固定的に係合し接続される押え輪６３を含み、前記押え輪６３の右側の端面が前記フルート６１の右側の内壁の間に第二バネ６４が固定的に設置され、前記挿し込み軸６５にロック穴６５２が設置され、前記挿し込み軸６５が前記フランジ６２と反対の一側の末端に前記電気接続溝５４と係合し接続される給電片６５１が固定的に設置される。
【００１４】
本発明の有益な効果は、構造が簡単で、操作が便利で、セキュリティ監視ロボットを充電する時の安定性を大きく高めて、思いがけない電源オフを防ぐ。
【手続補正３】
【補正対象書類名】図面
【補正対象項目名】図１
【補正方法】変更
【補正の内容】
【図１】
2019160762.tif 000007